(57)【要約】【課題】段階的な燃焼位置にて蒸発量を制御可能とされる複数のボイラにより構成されたボイラ群においてバックアップ制御を行なう場合に、ハンチングを抑制して安定した制御が可能な制御プログラム、制御システム及びボイラシステムを提供すること。【解決手段】段階的な燃焼位置にて蒸発量を制御可能とされる複数のボイラにより構成されるボイラ群を備えたボイラシステムの制御を行なう制御プログラムであって、バックアップ制御手段を備え、前記第１のバックアップ制御手段は、前記蒸発量に対応する物理量が変化する速度が所定値以上の場合に、（不足蒸発量）≦（バックアップ制御が可能なボイラの燃焼位置を高くして増加する蒸発量）を満足する最小台数のボイラによりバックアップ制御するように構成されていることを特徴とする。【選択図】図３
2010091139.tif 000002
【特許請求の範囲】
【請求項１】
段階的な燃焼位置にて蒸発量を制御可能とされる複数のボイラにより構成されるボイラ群を備え、
要求負荷に基づいて燃焼制御されるように構成されたボイラシステムの制御を行なう制御プログラムであって、
前記ボイラ群のうちいずれかのボイラの燃焼を開始する場合に、既に燃焼中のボイラのうちいずれかのボイラの燃焼位置を一時的に高くするバックアップ制御が可能とされ、
前記バックアップ制御が可能なボイラの燃焼位置を一段高くして増加するそれぞれの蒸発量が、不足蒸発量以上である場合に、
前記バックアップ制御の開始タイミングを、前記蒸発量に対応する少なくとも一の物理量が変化する速度に応じて制御するように構成されていることを特徴とする制御プログラム。
【請求項２】
請求項１に記載の制御プログラムであって、
前記速度が所定値以上の場合に、
前記バックアップ制御を、
（不足蒸発量）≦（バックアップ制御が可能なボイラの燃焼位置を高くして増加する蒸発量）
を満足する最小台数のボイラにより制御する第１のバックアップ制御手段を備えていることを特徴とする制御プログラム。
【請求項３】
請求項１に記載の制御プログラムであって、
前記速度が所定値以下の場合に、
前記バックアップ制御を、
（不足蒸発量）≧（バックアップ制御が可能なボイラの燃焼位置を高くして増加する蒸発量）
を満足する最大台数のボイラにより制御する第２のバックアップ制御手段を備えていることを特徴とする制御プログラム。
【請求項４】
請求項１から請求項３のいずれか１項に記載の制御プログラムを備えることを特徴とするボイラシステム。
【請求項５】
請求項４に記載の制御システムを備えることを特徴とするボイラシステム。
【請求項６】
段階的な燃焼位置にて蒸発量を制御可能とされる複数のボイラにより構成されるボイラ群を備え、
要求負荷に基づいて燃焼制御されるように構成されたボイラシステムの制御を行なう制御方法であって、
前記ボイラ群のうちいずれかのボイラの燃焼を開始する場合に、既に燃焼中のボイラのうちいずれかのボイラの燃焼位置を一時的に高くするバックアップ制御が可能とされ、
前記バックアップ制御が可能なボイラの燃焼位置を一段高くして増加するそれぞれの蒸発量が、不足蒸発量以上である場合に、
前記バックアップ制御の開始タイミングを、前記蒸発量に対応する少なくとも一の物理量が変化する速度に応じて制御するように構成されていることを特徴とする制御方法。
【請求項７】
請求項６に記載の制御方法であって、
前記速度が所定値以上の場合に、
前記バックアップ制御を、
（不足蒸発量）≦（バックアップ制御が可能なボイラの燃焼位置を高くして増加する蒸発量）
を満足する最小台数のボイラにより制御する第１のバックアップ制御手段を備えていることを特徴とする制御方法。
【請求項８】
請求項６に記載の制御方法であって、
前記速度が所定値以下の場合に、
前記バックアップ制御を、
（不足蒸発量）≧（バックアップ制御が可能なボイラの燃焼位置を高くして増加する蒸発量）
を満足する最大台数のボイラにより制御する第２のバックアップ制御手段を備えていることを特徴とする制御方法。
【発明の詳細な説明】
【技術分野】
【０００１】
この発明は、段階的な燃焼位置にて蒸発量を制御可能とされる複数のボイラからなるボイラ群の燃焼を制御する制御プログラム、制御システム及びボイラシステムに関する。
【背景技術】
【０００２】
従来、段階的な燃焼位置にて蒸発量を制御可能とされる複数のボイラにより構成されたボイラ群のいずれかのボイラの燃焼を開始して蒸発量を増加させる場合に、燃焼開始するボイラが所定の蒸発量に到達して給蒸可能になるまでの間、既に燃焼しているボイラの蒸発量を増加して該燃焼開始するボイラの給蒸のタイムラグを補うためにバックアップ制御を行なう場合がある。
【０００３】
バックアップ制御は、燃焼停止状態のボイラでは燃焼を開始して缶体内の水を沸点近傍まで高くするのに時間が要するのに対して燃焼中のボイラでは缶体内に沸点近傍の水を有しているためにこれを加熱して短時間で蒸発量を増加するものである。
かかるバックアップ制御に関し、例えば、特許文献１に示すように３位置制御ボイラからなるボイラ群において低燃焼状態のボイラの燃焼位置を高くしてバックアップ制御することにより追従性を高める技術が開示されている。
【特許文献１】特開平１−２５６７０４号公報
【発明の開示】
【発明が解決しようとする課題】
【０００４】
しかしながら、例えば、ターンダウン比が大きいボイラを用いてバックアップ制御する場合、バックアップ制御による蒸発量が不足蒸発量に対して過剰となり、その結果、バックアップ制御される蒸発量がハンチングを起こす場合がある。
【０００５】
本発明は、このような事情を考慮してなされたものであり、段階的な燃焼位置にて蒸発量を制御可能とされる複数のボイラにより構成されたボイラ群においてバックアップ制御を行なう場合に、ハンチングを抑制して安定した制御が可能な制御プログラム、制御システム及びボイラシステムを提供することを目的とする。
【課題を解決するための手段】
【０００６】
上記課題を解決するために、この発明は以下の手段を提案している。
請求項１に記載の発明は、段階的な燃焼位置にて蒸発量を制御可能とされる複数のボイラにより構成されるボイラ群を備え、要求負荷に基づいて燃焼制御されるように構成されたボイラシステムの制御を行なう制御プログラムであって、前記ボイラ群のうちいずれかのボイラの燃焼を開始する場合に、既に燃焼中のボイラのうちいずれかのボイラの燃焼位置を一時的に高くするバックアップ制御が可能とされ、前記バックアップ制御が可能なボイラの燃焼位置を一段高くして増加するそれぞれの蒸発量が、不足蒸発量以上である場合に、前記バックアップ制御の開始タイミングを、前記蒸発量に対応する少なくとも一の物理量が変化する速度に応じて制御するように構成されていることを特徴とする。
【０００７】
請求項４に記載の発明は、制御システムであって、請求項１から請求項３のいずれか１項に記載の制御プログラムを備えることを特徴とする。
【０００８】
請求項５に記載の発明は、ボイラシステムであって、請求項４に記載の制御システムを備えることを特徴とする。
【０００９】
請求項６に記載の発明は、段階的な燃焼位置にて蒸発量を制御可能とされる複数のボイラにより構成されるボイラ群を備え、要求負荷に基づいて燃焼制御されるように構成されたボイラシステムの制御を行なう制御方法であって、前記ボイラ群のうちいずれかのボイラの燃焼を開始する場合に、既に燃焼中のボイラのうちいずれかのボイラの燃焼位置を一時的に高くするバックアップ制御が可能とされ、前記バックアップ制御が可能なボイラの燃焼位置を一段高くして増加するそれぞれの蒸発量が、不足蒸発量以上である場合に、
前記バックアップ制御の開始タイミングを、前記蒸発量に対応する少なくとも一の物理量が変化する速度に応じて制御するように構成されていることを特徴とする。
【００１０】
この発明に係る制御プログラム、制御方法、制御システム、ボイラシステムによれば、バックアップ制御の開始タイミングを蒸発量に対応する物理量が変化する速度に応じて制御するので、蒸発量が過剰となることが抑制され、その結果、ハンチング等を抑制して安定した制御を行なうことが可能となる。
【００１１】
請求項２に記載の発明は、請求項１に記載の制御プログラムであって、前記速度が所定値以上の場合に、前記バックアップ制御を、
（不足蒸発量）≦（バックアップ制御が可能なボイラの燃焼位置を高くして増加する蒸発量）
を満足する最小台数のボイラにより制御する第１のバックアップ制御手段を備えていることを特徴とする。
【００１２】
請求項７に記載の発明は、請求項６に記載の制御方法であって、前記速度が所定値以上の場合に、前記バックアップ制御を、（不足蒸発量）≦（バックアップ制御が可能なボイラの燃焼位置を高くして増加する蒸発量）を満足する最小台数のボイラにより制御する第１のバックアップ制御手段を備えていることを特徴とする。
【００１３】
この発明に係る制御プログラム、制御方法によれば、蒸発量に対応する物理量の変化する速度が所定値以上で必要とされる蒸発量が大きい場合に、バックアップ制御による蒸発量を不足蒸発量以上とすることにより必要とされる蒸発量を短時間に縮小しつつ過剰な蒸発量を最小とし、オーバシュートの発生、ひいてはハンチングの発生を抑制することができる。
なお、この明細書において、不足蒸発量とは燃焼指示された燃焼位置における給蒸可能蒸発量から現在の実際に給蒸量をひいた蒸発量の差を含むものとする。
【００１４】
請求項３に記載の発明は、請求項１に記載の制御プログラムであって、前記速度が所定値以下の場合に、前記バックアップ制御を、
（不足蒸発量）≧（バックアップ制御が可能なボイラの燃焼位置を高くして増加する蒸発量）
を満足する最大台数のボイラにより制御する第２のバックアップ制御手段を備えていることを特徴とする。
【００１５】
請求項８に記載の発明は、請求項６に記載の制御方法であって、前記速度が所定値以下の場合に、前記バックアップ制御を、（不足蒸発量）≧（バックアップ制御が可能なボイラの燃焼位置を高くして増加する蒸発量）を満足する最大台数のボイラにより制御する第２のバックアップ制御手段を備えていることを特徴とする。
【００１６】
この発明に係る制御プログラム、制御方法によれば、蒸発量に対応する物理量の変化する速度が所定値以下で必要とされる蒸発量が小さい場合に、バックアップ制御による蒸発量を不足蒸発量以下としつつ必要とされる蒸発量に対する不足を最小とすることで、不足蒸発量が増加する速度を小さくすることができる。
【発明の効果】
【００１７】
この発明に係る制御プログラム、制御システム、ボイラシステムによれば、バックアップ制御においてハンチングが発生するのを抑制して安定したバックアップ制御を行なうことができる。
【発明を実施するための最良の形態】
【００１８】
以下、図１から図２を参照し、この発明の第１の実施形態について説明する。
図１は、本発明に係る制御システムの一実施形態を示す図であり、符号１はボイラシステムを示している。
【００１９】
ボイラシステム１は、複数のボイラから構成されるボイラ群２と、制御部（制御システム）４と、スチームヘッダ６と、スチームヘッダ６に設けられた圧力センサ７とを備え、ボイラ群２で発生させた蒸気を蒸気使用設備１８に供給するようになっている。
この実施形態における要求負荷は蒸気使用設備１８での消費蒸気量であり、この消費蒸気量に対応して生じる不足蒸気量を、圧力センサ７が検出するスチームヘッダ６内の蒸気の圧力（物理量）Ｐに基づいて算出し、算出された不足蒸発量に基づいて各ボイラの蒸発量が制御されるようになっている。
【００２０】
ボイラ群２は、例えば、５台の蒸気ボイラから構成され、第１ボイラ２１と、第２ボイラ２２と、第３ボイラ２３と、第４ボイラ２４と、第５ボイラ２５とを備えている。
第１ボイラ２１、・・・、第５ボイラ２５は、同一の構成とされ燃焼停止状態、低燃焼状態（第１の燃焼位置）、高燃焼状態（第２の燃焼位置）の３つの段階的な燃焼位置に制御可能な３位置制御ボイラとされている。
また、燃焼開始、バックアップ制御等の燃焼制御に際して、第１ボイラ２１、・・・、第５ボイラ２５は、この順に優先順位が設定されている。
この実施形態において、制御プログラムは、例えば、第１の燃焼位置での燃焼を第２の燃焼位置での燃焼より優先的に行なうようになっている。すなわち、すべてのボイラが燃焼開始されるまでは、いずれのボイラも第２の燃焼位置に移行しないようになっている。
なお、設定された優先順位以外の順序に従って燃焼開始及び燃焼位置を高くするようにしてもよい。
【００２１】
また、各ボイラはそれぞれの燃焼位置で生成可能な蒸気量（蒸発量）が設定されており、例えば、燃焼を開始した場合に増加する第１の燃焼位置の蒸発量は１０００（Ｋｇ／ｈ）、第２の燃焼位置に移行した場合の蒸発量の増加は２０００Ｋｇ／ｈとされ、第２の燃焼位置における蒸発量すなわち蒸発能力は３０００（Ｋｇ／ｈ）とされている。
【００２２】
スチームヘッダ６は、第１ボイラ２１、・・・、第５ボイラ２５と蒸気管１１により接続されるとともに蒸気使用設備１８と蒸気管１２により接続されており、ボイラ群２で発生させた蒸気を集合し、各ボイラ相互間の圧力差及び圧力変動を調整して蒸気使用設備１８に蒸気を供給するようになっている。
【００２３】
制御部４は、電気信号が入力される入力部４Ａと、演算部４Ｂと、データベース４Ｄと、出力部４Ｅとを備え、図示しない記憶媒体（例えば、ＲＯＭ）に格納された制御プログラムを演算部４Ｂに読み込み、演算部４Ｂにおいて蒸発量を算出するとともに燃焼制御するボイラ及び燃焼位置を特定して出力部４Ｅを介して各ボイラに制御信号を出力するように構成されている。
【００２４】
入力部４Ａは、圧力センサ７と信号線１３により接続され圧力センサ７により検出された圧力信号が入力されるようになっている。
また、入力部４Ａは、各ボイラと信号線１６により接続され、例えば燃焼位置等の情報が各ボイラから入力されるようになっている。
【００２５】
演算部４Ｂは、記憶媒体に格納された制御プログラムを読み込み、この制御プログラムを実行して入力部４Ａを介して送られる圧力センサ７からの圧力信号に基づいてスチームヘッダ６内の蒸気の圧力Ｐを算出するとともに、圧力Ｐをデータベース４Ｄと対照させて必要とされる蒸発量及び不足蒸発量を算出するようになっている。
出力部４Ｅは、各ボイラ２１、・・・、２５と信号線１４により接続され、演算部４Ｂからの制御信号が出力部４Ｅ、信号線１４を経由して各ボイラに出力されるようになっている。
【００２６】
第１の実施形態に係る制御プログラムは、要求負荷に基づいてボイラ群２を構成するボイラの燃焼を制御するように構成されており、バックアップ制御を行うための第１のサブルーチンプログラム（第１のバックアップ制御手段）を有している。
【００２７】
第１のサブルーチンプログラムは、ボイラ群２のうちいずれかのボイラの燃焼を開始する場合に、既に燃焼中のボイラのうちいずれかのボイラの燃焼位置を一時的に高くするバックアップ制御が可能とされ、バックアップ制御が可能なボイラの燃焼位置を一段高くして蒸発量を増加する場合に、それぞれのバックアップ制御可能な燃焼位置の蒸発量が不足蒸発量以上である場合には、バックアップ制御の開始タイミングを必要とされる蒸発量の増加速度ＶＤに応じて制御するようになっている。
【００２８】
具体的には、必要とされる蒸発量の増加速度ＶＤが、予め設定された所定値Ｖ１以上である場合に、
（不足蒸発量）≦（バックアップ制御が可能なボイラの燃焼位置を高くして増加する蒸発量）
を満足する最小台数のボイラによりバックアップ制御をするように構成されている。
【００２９】
次に、図２、図３を参照してボイラシステム１の作用について説明する。
図２は、スチームヘッダ６内の蒸気の圧力Ｐの変動の一例を示す図であり、横軸は時間を、縦軸は圧力を表している。
ボイラの台数を制御する制御圧力帯は、制御の基準となる設定圧力Ｐ０より小さい圧力として、優先順位が最も高いボイラが燃焼を開始する圧力Ｐ１、その次に優先順位が高いボイラが燃焼を開始する圧力Ｐ２、さらにその次に優先順位が高いボイラが燃焼を開始する圧力Ｐ３といった具合に圧力Ｐ５までの圧力に区分されている。
【００３０】
また、圧力Ｐ１と圧力Ｐ２の圧力差△Ｐ１、圧力Ｐ２と圧力Ｐ３の圧力差△Ｐ２、圧力Ｐ３と圧力Ｐ４の圧力差△Ｐ３は、いずれかのボイラ１台の燃焼を開始した場合に、第１の燃焼位置で蒸気を供給（給蒸）可能な蒸発量１０００（Ｋｇ／ｈ）と対応する圧力とされている。
【００３１】
また、必要とされる蒸発量の増加速度ＶＤとは、バックアップ制御による燃焼が行なわれていない状態でいずれかのボイラの燃焼を新たに開始させる時点の圧力低下速度（蒸発量に対応して圧力が変化する速度）ＶＰから算出可能であり、圧力低下速度ＶＰは、例えば、圧力Ｐを微分した値（＝ｄＰ／ｄｔ）として取得される。
【００３２】
図３は、制御プログラムを用いてボイラ群２をバックアップ制御する場合の各ボイラの燃焼状態を示す概略図であり、それぞれの四角枠は各ボイラの第１及び第２の燃焼位置の状態を示しており、左側に記載した数値１０００、２０００は第１の燃焼位置及び第２の燃焼位置に移行した場合のそれぞれの蒸発量の増加量を示している。
【００３３】
図３の（Ａ）、（Ｂ）は、図２の（Ａ）、（Ｂ）における燃焼制御状態に、図３の（Ｃ１）、（Ｃ２）、（Ｃ３）は、図２の（Ｃ）における燃焼制御状態に対応している。なお、図２におけるｔ１、ｔ２は、燃焼状態がそれぞれ（Ａ）から（Ｂ）、（Ｂ）から（Ｃ）に移行するタイミングを示している。また、図２において２点鎖線で示した矢印は、圧力Ｐが圧力Ｐ３に到達した後に圧力Ｐ４に到達せずに圧力が上昇したことを概念的に示したものであり第４ボイラ２４が燃焼を開始しなかったことを意味している。
【００３４】
また、図３における網かけで示した燃焼位置は燃焼中であることを示し、網かけと「Ｒ」を施したボイラは燃焼指示を受けて給蒸するまでの状態を示し、網かけと「ＢＫ」を施したボイラはバックアップ制御中を示している。
なお、図３における燃焼制御は、必要とされる蒸発量の増加速度ＶＤが所定値Ｖ１以上の場合の一例である。
また、図２の（Ａ）において示した圧力Ｐは圧力Ｐ１と圧力Ｐ２の間であるが、この状態で図３（Ａ）に示すように１台のボイラが燃焼している場合の例について説明する。
【００３５】
１）まず、スチームヘッダ６内の圧力Ｐは、図２の（Ａ）に示すように圧力Ｐ１と圧力Ｐ２の間にあり、図３（Ａ）に示すように第１ボイラ２１が燃焼している。
２）図２（Ｂ）におけるスチームヘッダ６内の圧力Ｐは、圧力Ｐ２よりも低くなると図３（Ｂ）に示すように第２ボイラ２２の燃焼を開始する。
圧力Ｐが圧力Ｐ２に到達して第２ボイラ２２の燃焼を開始したときに、必要とされる蒸発量の増加速度ＶＤを算出し所定値Ｖ１と比較する。
本例では、増加速度ＶＤが所定値Ｖ１以上であるため、
（不足蒸発量）≦（バックアップ制御が可能なボイラの燃焼位置を高くして増加する蒸発量）を満足する最小台数である１台のボイラによりバックアップ制御を行なう。
具体的には、第２ボイラ２２は給蒸可能でないので不足蒸発量は１０００（Ｋｇ／ｈ）であり、第１ボイラ２１が第２の燃焼位置に移行して増加する蒸発量２０００（Ｋｇ／ｈ）以下であるため、第１ボイラ２１を第２の燃焼位置に移行してバックアップ制御が開始される。
なお、増加速度ＶＤが所定値Ｖ１未満の場合には、例えばバックアップ制御を行なわれない。
３）図２（Ｃ）におけるスチームヘッダ６内の圧力Ｐは、圧力Ｐ３よりも低くなる。この場合、３台のボイラの低燃焼状態の燃焼量が対応するため、図３（Ｃ１）に示すように第３ボイラ２３の燃焼を開始する。
この場合、まだ第２ボイラ２２及び第３ボイラ２３は給蒸可能でないために不足蒸発量が２０００（Ｋｇ／ｈ）に増加するが、第１ボイラ２１のバックアップ制御による蒸発量２０００（Ｋｇ／ｈ）以下であるため第１ボイラ２１の第２の燃焼位置によるバックアップ制御が継続される。
４）図３（Ｃ２）は、第２ボイラ２２が給蒸可能となって不足蒸発量が１０００（Ｋｇ／ｈ）まで減少した状態である。
この場合、不足蒸発量１０００（Ｋｇ／ｈ）以上を満足する最小台数のボイラによるバックアップ制御を行うために第１ボイラ２１の第２の燃焼位置によるバックアップ制御が維持される。
５）図３（Ｃ３）は、第２ボイラ２２、第３ボイラ２３がともに給蒸状態となった状態である。不足蒸発量が存在しなくなるためバックアップ制御が解除される。
【００３６】
第１の実施形態に係る制御プログラム、ボイラシステム１によれば、バックアップ制御による蒸発量を不足蒸発量以上としつつ過剰蒸発量を最小とすることで不足蒸発量を短時間で縮小するとともにハンチングの発生を抑制することができる。
【００３７】
次に、図２、図４を参照して、この発明の第２の実施形態について説明する。
第２の実施形態が、第１の実施形態と異なるのは、第２の実施形態に係る制御プログラムが第１のサブルーチンプログラムに代えて、第２のサブルーチンプログラム（第２のバック制御手段）を有している点である、その他は、第１の実施形態と同様であるので、同様の部分に関しては説明を省略する。
【００３８】
第２のサブルーチンプログラムは、必要とされる蒸発量が増加する速度ＶＤが所定値Ｖ２以下の場合に、
（不足蒸発量）≧（バックアップ制御が可能なボイラの燃焼位置を高くして増加する蒸発量）を満足する最大台数のボイラによりバックアップ制御するように構成されている。
また、例えば、必要とされる蒸発量が増加する速度ＶＤが所定値Ｖ２より大きい場合に第１の実施形態における数式の（≦）を（＜）に置き換えて第１のサブルーチンと同様のバックアップ制御をする構成としてもよい。
【００３９】
図４は、第２のサブルーチンプログラムを用いてバックアップ制御を行なう場合の各ボイラの燃焼状態の概略を示す図であり、図４の（Ａ）、（Ｂ）は、図２の（Ａ）、（Ｂ）における燃焼制御状態に、図３の（Ｃ１）、（Ｃ２）、（Ｃ３）は、図２の（Ｃ）における燃焼制御状態に対応している。
なお、図４における燃焼制御は、必要とされる蒸発量の増加速度ＶＤが所定値Ｖ２以下の場合の一例である。
【００４０】
１）（Ａ）は第１の実施形態と同様である。
２）図２（Ｂ）において圧力Ｐが圧力Ｐ２よりも低くなり、図４（Ｂ）に示すように第２ボイラ２２の燃焼を開始する。
圧力Ｐが圧力Ｐ２に到達したときに、必要とされる蒸発量の増加速度ＶＤを算出し所定値Ｖ２と比較する。
本例では、増加速度ＶＤが所定値Ｖ２以下であるため、（不足蒸発量）≧（バックアップ制御が可能なボイラの燃焼位置を高くして増加する蒸発量）を満足する最大台数である１台のボイラによりバックアップ制御を行なう。
具体的には、第１ボイラ２１が第２の燃焼位置に移行して増加する蒸発量２０００（Ｋｇ／ｈ）が不足蒸発量１０００（Ｋｇ／ｈ）よりも大きいのでバックアップ制御は開始されない。
３）図２（Ｃ）において圧力Ｐは圧力Ｐ３よりも低くなり、図４（Ｃ１）に示すように第３ボイラ２３の燃焼を開始する。
この場合、不足蒸発量が２０００（Ｋｇ／ｈ）に増加し、第１ボイラ２１が第２の燃焼位置に移行して増加する蒸発量２０００（Ｋｇ／ｈ）以上となるため、第１ボイラ２１を第２の燃焼位置に移行してバックアップ制御が開始される。
４）図４（Ｃ２）は、第２ボイラ２２が給蒸可能となって、不足蒸発量が１０００（Ｋｇ／ｈ）まで減少する。
この場合、不足蒸発量が第１ボイラ２１を第２の燃焼位置に移行して増加する蒸発量未満となるためバックアップ制御が解除される。
５）図４（Ｃ３）は、第２ボイラ２２、第３ボイラ２３がともに給蒸状態となる。
【００４１】
第２の実施形態に係る制御プログラムによれば、バックアップ制御による蒸発量を不足蒸発量以下としつつ必要とされる蒸発量に対する不足蒸発量を最小とすることで不足蒸発量の拡大を遅延させ不足蒸発量の増加速度ＶＤを小さくすることができる。
その結果、不足蒸発量があまり大きくない場合に安定したバックアップ制御を行なうことができる。
【００４２】
なお、この発明は上記実施の形態に限定されるものではなく、発明の趣旨を逸脱しない範囲において、種々の変更をすることが可能である。
【００４３】
また、上記実施の形態においては、蒸気量と対応する物理量としてスチームヘッダ６内の圧力Ｐを用いて蒸発量を制御し、圧力Ｐが変化する速度に基づいてバックアップ制御する場合について説明したが、圧力Ｐに代えて、例えば、スチームヘッダ６の圧力、蒸気使用設備１８における蒸気の使用量等、温度等、蒸発量と対応する他の物理量のパラメータに基づいてボイラ群２を制御し、又はバックアップ制御する構成してもよい。
また、かかる蒸発量に対応して変化する速度を算出する場合に、複数の物理量の変化をパラメータとしてバックアップ制御してもよい。
【００４４】
上記実施の形態においては、必要とされる蒸発量の増加速度ＶＤを圧力低下速度ＶＰに基づいて算出する場合に、圧力Ｐを微分して取得する場合について説明したが、圧力Ｐの微分に代えていずれかのボイラを燃焼開始する前の所定時間における圧力変化の平均値等を圧力低下速度ＶＰとしてもよい。
【００４５】
また、上記実施の形態においては、不足蒸発量の増加速度ＶＤを予め設定した所定値（一定値）Ｖ1、Ｖ２とを対比する場合について説明したが、一定値である所定値Ｖ１、Ｖ２に代えて、例えば、圧力Ｐ等、種々のパラメータ又はそれらを組み合わせた関数等を速度ＶＤとの対比させる構成としてもよい。
【００４６】
また、上記実施の形態においては、第１のサブルーチンプログラム、第２のサブルーチンプログラムに係る数式がそれぞれ「≦」、「≧」により定義される場合について説明したが、それぞれ「＜」、「＞」を用いた数式によりバックアップ制御してもよい。
【００４７】
また、第１の実施形態に係る制御プログラムが第１のサブルーチンプログラムを備え、第２の実施形態に係る制御プログラムが第２のサブルーチンプログラムを備える場合について説明したが、前述のように数式の定義を変化させて相互の適用範囲を整合させることにより、制御プログラムが第１のサブルーチンプログラム、第２のサブルーチンプログラムに係る双方の機能を有する構成としてもよい。
【００４８】
また、上記実施の形態においては、ボイラ群２において必要とされる不足蒸発量をデータベース４Ｄに対応づけて算出する場合について説明したが、蒸発量を演算により算出する構成としてもよい。
【００４９】
また、上記実施の形態においては、本発明に係る制御をプログラムによって行なう場合について説明したが、プログラムによらずオペアンプ等を用いたアナログ制御によって行なってもよいことは当然である。
【００５０】
また、上記実施の形態においては、ボイラシステム１を構成するボイラ群２が、５台のボイラにより構成される場合について説明したが、２台以上の任意の台数のボイラによりボイラ群２を構成してもよいし、ボイラ群２を構成する５台のボイラ２１、・・・、２５のうち一部が、例えば故障、修理等により計画停止されている場合に稼動可能な一部のボイラを対象として燃焼制御してもよい。
【００５１】
また、上記実施の形態においては、ボイラ群２を構成しているボイラの燃焼位置等が同一である場合について説明したが、ボイラ群２を構成するボイラの一部又は全部の最大蒸発量、各燃焼位置において増加する蒸発量を異なる設定としてもよい。
【００５２】
また、燃焼開始及びバックアップ制御に関する優先順位が第１ボイラ２１、・・・、第５ボイラ２５の順である場合について説明したが、かかる優先順位は任意に設定してもよいし、例えば、予め設定された優先順位を任意に変更可能な構成としてもよい。
【００５３】
また、制御プログラムを格納するための記憶媒体として、ＲＯＭを用いる場合について説明したが、ＲＯＭ以外にも、例えば、EP−ROM、 ハードディスク、フレキシブルディスク、光ディスク、光磁気ディスク、ＣＤ−ＲＯＭ、ＣＤ−Ｒ、磁気テープ、不揮発性のメモリカードなどを用いることができる。また、演算部が読出したプログラムを実行することにより上記実施形態の作用が実現されるだけでなく、そのプログラムの指示に基づき、演算部で稼働しているＯＳ（オペレーティングシステム）などが実際の処理の一部または全部を行い、その処理によって上記実施形態の作用が実現される場合も含まれる。さらに、記憶媒体から読出されたプログラムが、演算部に挿入された機能拡張ボードや演算部に接続された機能拡張ユニットに備わるメモリに書込まれた後、そのプログラムの指示に基づき、その機能拡張ボードや機能拡張ユニットに備わるＣＰＵなどが実際の処理の一部または全部を行い、その処理によって前述した実施形態の作用が実現される場合も含まれることはいうまでもない。
【図面の簡単な説明】
【００５４】
【図１】本発明の第１の実施形態に係るボイラシステムの概略構成を示す図である。
【図２】本発明に係るボイラシステムの作用を説明する図であり、蒸気圧力の変動の一例を示す概念図である。
【図３】第１の実施形態に係るボイラシステムにおけるバックアップ制御の一例を示す図である。
【図４】第２の実施形態に係るボイラシステムにおけるバックアップ制御の一例を示す図である。
【符号の説明】
【００５５】
ＶＤ    増加速度（必要とされる蒸発量の増加する速度）
Ｖ１、Ｖ２  所定値
１    ボイラシステム
２    ボイラ群
４    制御部（制御システム）
２１、２２、２３、２４、２５  ボイラ
【図１】
2010091139.tif 000003
【図２】
2010091139.tif 000004
【図３】
2010091139.tif 000005
【図４】
2010091139.tif 000006